(57)【特許請求の範囲】
【請求項１】
電池収納部を有する電子機器であって、
前記電子機器に固定するための固定部と、前記固定部に対して変位可能であって、前記電池収納部に収納される電池の正極と接触する接触部とが形成される導電性の端子板と、
前記端子板の前記接触部に取り付けられ、前記電池の負極が前記接触部と接触しないように機能する逆接続防止リブが形成される絶縁部材とを有し、
前記絶縁部材と前記端子板の前記固定部とを係合させることで前記接触部の変位量を規制することを特徴とする電子機器。
【請求項２】
前記端子板の前記固定部には前記接触部の変位方向に屈曲された屈曲部と、前記屈曲部に形成された長穴が形成されるとともに、前記絶縁部材には前記接触部に取り付けられた状態で前記長穴に係合する爪部が形成されていることを特徴とする請求項１に記載の電子機器。
【請求項３】
前記端子板の前記接触部は、前記屈曲部から延出される延出部が前記屈曲部に向けて折り曲げられることで形成されることを特徴とする請求項２に記載の電子機器。
【請求項４】
前記端子板の前記接触部に前記絶縁部材を取り付けたのち、前記延出部を撓ませることで前記爪部を前記長穴に係合させることを特徴とする請求項３に記載の電子機器。
【請求項５】
前記電池収納部の開口を閉塞するカバー部材を有し、
前記端子板の前記固定部が前記カバー部材に固定されることで、前記端子板は前記電子機器に固定されることを特徴とする請求項１ないし４のいずれか１項に記載の電子機器。
【請求項６】
前記カバー部材の内側に結合され、前記カバー部材に対し摺動が可能で且つ前記電子機器に対し軸受部を介して回動が可能なスライド板を有し、
前記スライド板の摺動方向と前記絶縁部材の前記逆接続防止リブの延長方向とが一致するように設定し、
前記カバー部材を前記スライド板に対してスライドさせた後に回動させることで前記電池収納部の開口を開放することを特徴とする請求項５に記載の電子機器。
【請求項７】
前記端子板の前記接触部に前記電池の正極に接する突起部を設け、
前記カバー部材を前記スライド板に対してスライドさせた際に前記端子板の前記突起部が前記電池の正極を摺動することを特徴とする請求項６に記載の電子機器。
【発明の詳細な説明】
【技術分野】
【０００１】
本発明は、電池を収納する収納部の開口を覆う電池蓋ユニットを備える電子機器に関する。
【背景技術】
【０００２】
従来、小型軽量の電子機器は、電源として使用する電池を機器内部に収納し電池を蓋で覆う構造が一般的である。また、電子機器における電池の使用形態としては、単三電池のような円筒形状の小型電池を複数本使用する例が多く見られる。電子機器であるデジタルカメラ（以下カメラ）の電池収納に関しては各種の技術が提案されている（例えば、特許文献１参照）。
【０００３】
図２２は、第１の従来例（特許文献１）に係るカメラの外観を示す図であり、（ａ）は、カメラ１０１の斜視図、（ｂ）は、カメラ１０１の底面側の電池蓋１０７を開き収納部１０２に複数の電池１０３〜１０６を収納する様子を示す斜視図である。
【０００４】
図２２（ａ）、（ｂ）において、電池１０３〜１０６は、それぞれ収納部１０２への挿入方向が指定されている。電池１０３と電池１０５は正極側から、電池１０４と電池１０６は負極側から収納部１０２に挿入し、電池蓋１０７を閉じる。これにより、図２４に示すように電池蓋１０７に設けた端子板１０８の負極端子１０８ａが電池１０３の負極１０３ｂに接触し、正極端子１０８ｂが電池１０４の負極１０４ａに接触する。また、端子板１０９の負極端子１０９ａが電池１０５の負極１０５ｂに接触し、正極端子１０９ｂが電池１０６の正極１０６ａに接触する。
【０００５】
また、収納部１０２の中に設けた端子板１１０の正極端子１１０ａが電池１０３の正極１０３ａに接触し、端子板１１１の負極端子１１１ａが電池１０４の負極１０４ｂに接触する。また、端子板１１１の正極端子１１１ｂが電池１０５の正極１０５ａに接触し、端子板１１２の負極端子１１２ａが電池１０６の負極１０６ｂに接触する。この場合、各端子板１０８〜１１２はバネ性能を有しており、所定の接触圧をもって各電池の電極に接触している。これにより、直列電池４本分の電圧が端子板１１０と端子板１１２の間に得られ、電圧をカメラ１０１の駆動電源として内部に取り込むことができる。
【０００６】
ここで、各端子板１０８〜１１２が有するバネ性能の必要性について述べると、一つの目的は、上述のように所定の接触圧をもって各電池の電極に接触し通電を確保するためのものである。また、もう一つの目的としては、カメラの作動中に強い振動衝撃が加わって収納部内の各電池が揺動した場合に、各電池の電極との接触部が瞬間的に離れて絶縁し、電源供給が遮断されることを防ぐことが挙げられる。もしカメラで電源遮断が生じると、例えば撮影中の動画像が中断したり、内部メモリに記録途中の静止画像が消滅したり、更には電子回路自体に損傷をきたす恐れもある。
【０００７】
このため、各端子板１０８〜１１２のバネ性能には、通常の使用状態における各電池の電極との導電性の確保以外に、振動衝撃で各電池が揺動した場合でもそれに追従して各電池の電極と接触し続け、通電状態を維持させるという重要な目的が課せられている。
【０００８】
例えば図２４の状態にて振動衝撃により電池１０３〜１０６が下方向へ移動させられた場合、各端子板１１０〜１１２は先端が端子保持部１１３に突き当たるまでたわむ。これと共に、電池蓋１０７の端子板１０８及び１０９が電池１０３〜１０６の方向へ追従して接触状態を維持する。そして、衝撃の反動により電池１０３〜１０６が上方向へ戻っても、今度は端子板１１０〜１１２のバネ力により接触状態を維持できる。このような作用により、カメラの作動中に衝撃が加わっても電池は接触を維持しつづける。
【０００９】
ところで、他の問題として、上記電池は円筒形状であるため、カメラの収納部に対して所定の挿入方向とは逆方向に挿入することが起こりうる。もし誤ってあるいは故意に電池の逆挿入を行った場合は、所望の電圧が得られないばかりか、逆挿入した電池により正しい放電電流とは逆方向に通電が生じ、電池の発熱や液漏れを起こしたり、電子回路に損傷をきたす恐れがある。
【００１０】
そこで、電池の逆挿入を防ぐために、電池の正極の円形凸形状を利用した逆挿入時の接触防止機構（電池の逆挿入した側の電極とカメラ側の端子との接触を防止する機構）が設けられることが多い。電池の逆挿入時の接触防止機構をカメラの電池室内側に設ける技術が提案されている（例えば、特許文献２参照）。
【００１１】
図２５は、第２の従来例（特許文献２）に係るカメラの電池室内側の端子バネ２０１と絶縁部材２０２の分解斜視図である。
【００１２】
図２５において、コイルスプリング状の端子バネ２０１に絶縁部材２０２を取り付けた構成とし、以下のように電池の逆挿入時の接触を防止する。図２６に実線で示すように電池２０３の正極２０３ａが正しく装着された場合は、正極２０３ａが端子バネ２０１に接触する。他方、図２６に破線で示すように電池２０３の負極２０３ｂが誤って装着された場合は、絶縁部材２０２に遮られて負極２０３ｂが端子バネ２０１に接触しない。
【００１３】
しかし、電池蓋側に設ける端子については、ユーザが容易に手で触れることにも配慮することが大切である。そこで、図２３に示した特許文献１では、電池蓋１０７に設けた端子板１０８のバネ部１０８ｃと１０８ｄ、及び端子板１０９のバネ部１０９ｃと１０９ｄを、外圧による変形が生じにくいように腕長さが短く幅の広い板バネで形成している。更に、そこに絶縁部材１１４〜１１７を設けている。
【００１４】
この構造であると、図２７に示すように収納部１０２に電池１０３、１０４が正しく挿入された場合は通電可能であるが、図２８に示すように電池１０３、１０４が逆挿入された場合は絶縁部材１１４及び１１５に接触が遮断されて通電不可能である。また、上述のようにカメラに振動衝撃が加わった場合は、バネ部１０８ｃ、１０８ｄ、１０９ｃ、１０９ｄ（図２３）に設けたバネ性により電池１０３〜１０６の揺動に追従して接触導電を維持させている。
【００１５】
また、電池蓋側に設けた電池端子の他の方式として固定式の絶縁部材を設ける図２９に示すような技術が提案されている。
【００１６】
図２９は、第３の従来例に係るカメラ３０１の外観を示す斜視図である。図３０は、カメラ３０１の電池蓋３０２の分解斜視図である。
【００１７】
図２９において、カメラ３０１の電池蓋３０２に設けた内カバー３０３から絶縁部３０３ａ、３０３ｂを突出させておく。これにより、電池３０４が正しく挿入された場合は、端子板３０６の接触部３０６ａが電池３０４の正極３０４ａに接触するため通電可能である。電池３０４が逆挿入された場合は、電池３０４の負極３０４ｂ（不図示）が内カバー３０３の絶縁部３０３ａ、３０３ｂに当たるので、端子板３０６の接触部３０６ａが電池３０４の負極３０４ｂに接触しないため通電不可能である。
【００１８】
また、カメラに振動衝撃が加わった場合は、端子板３０６のバネ部３０６ｂに設けたバネ性により電池３０４の揺動に追従して接触に伴う導電を維持させる。図３０に示すように、端子板３０６の接触部３０６ａはいわゆる片持ちバネ式の構造となっており、先端に爪部３０６ｃを設け、これを内カバー３０３の穴３０３ｃに引っ掛けることで接触部３０３ａの突出量を規制している。この方式であると、特許文献１に比べて接触部３０６ａをプリチャージさせて初期加重を持たせた状態にすることができるので、その分強い接触荷重が得られ、接触導電を維持させやすい。
【特許文献１】特開２００４−２５３２６３号（図１、図３、図４、図５、図６）
【特許文献２】特許第２６２４３５０号（第１図、第３図）
【発明の開示】
【発明が解決しようとする課題】
【００１９】
第２の従来例（特許文献２）は、端子をカメラの電池収納部の奥に配置する構造は問題ないが、端子を電池蓋側に配置する構造では電池蓋を開くと端子が露出した状態となる。そのため、ユーザが端子に直接手で触れて思わぬ怪我をしたり、端子が電池にぶつかって端子先端の突出部分を変形させたりする恐れがあるという問題がある。
【００２０】
また、第１の従来例（特許文献１）は、容易に手で端子をめくりあげられない突出高さに抑えるなど、端子の突出量の管理が重要となり管理が煩雑である。
【００２１】
また、第３の従来例は、突出防止のロック機構があるため容易に手で端子をめくりあげられないが、端子の先端が可動であるのに対して絶縁部材は固定式である。そのため、端子の突出量が絶縁部材の高さを上回ってしまうと、逆挿入した電池の負極に端子が接触するため、やはり端子の突出量の管理が重要となり管理が煩雑である。その突出量は、電池蓋３０２に取り付けた内カバー３０３の寸法、絶縁部３０３ａ及び３０３ｂの高さ、端子板３０６の爪部３０６ｃの形状など、電池蓋ユニットを構成する各部材の寸法が複合して絡んでくる。そのため、突出量の寸法管理が難しいという問題がある。
【００２２】
また、電池蓋ユニットを組み立てる際にも、端子板３０６の爪部３０６ｃを内カバー３０３の穴３０３ｃに引っ掛けながら、スライド板３０７、レバー部材３０８、バネ３０９、３１０を組み込んで押さえつつ、最後にネジ３１１を締めなければならない。そのため、組立性が良くないという問題がある。
【００２３】
上述した点から、より簡便な方法で組み立てができ、かつ、突出量の管理や電池逆差し時の絶縁性が確保できる電池端子が要望されている。
【００２４】
本発明の目的は、組み立て作業を容易化し、電池に接触する端子の突出量と突出圧の管理を容易化すること等を可能とした電子機器を提供することにある。
【課題を解決するための手段】
【００２５】
上述の目的を達成するために、本発明は、電池収納部を有する電子機器であって、前記電子機器に固定するための固定部と、前記固定部に対して変位可能であって、前記電池収納部に収納される電池の正極と接触する接触部とが形成される端子板と、前記端子板の前記接触部に取り付けられ、前記電池の負極が前記接触部と接触しないように機能する逆接続防止リブが形成される絶縁部材とを有し、前記絶縁部材と前記端子板の前記固定部とを係合させることで前記接触部の変位量を規制することを特徴とする。
【発明の効果】
【００２６】
本発明によれば、電子機器の組み立て作業を容易化し、電池に接触する端子の突出量と突出圧の管理を容易化することが可能となる。
【発明を実施するための最良の形態】
【００２７】
以下、本発明の実施の形態を図面に基づいて説明する。
【００２８】
図１は、本発明の実施の形態に係る電子機器としてのカメラの外観を示す図であり、（ａ）は、カメラの正面側を示す斜視図、（ｂ）は、カメラの背面側を示す斜視図である。図２は、カメラの蓋ユニット２を開いた状態並びにカメラの収納部３に収納される電池４、５及びメモリカード６を示す斜視図である。
【００２９】
図１、図２において、カメラは、カメラ本体１に電池蓋ユニット２を備えている。カメラ本体１の外部には、操作部１６ａ、前カバー２３、後カバー２４が設けられている。カメラ本体１の内部には、爪部１ａ及び１ｂ、収納部３、蓋検出スイッチ７が設けられている。収納部３には、電池４及び５、メモリカード６が収納される。電池４は、例えば単三電池等の円筒形状の汎用電池として構成されている。同様に、電池５は、円筒形状に構成されている。電池４は、軸方向の一方の端面の中央部に突起を有する正極４ａと、軸方向の他方の端面（凹凸のない平面状）の負極４ｂを備えている。同様に、電池５は、正極５ａと負極５ｂを備えている。
【００３０】
電池蓋ユニット（以下蓋ユニット）２は、カメラ本体１の収納部３の開口に装着される。蓋ユニット２の外側は、モールド材により形成され収納部３の開口を開閉が可能に閉塞する外カバー８（カバー部材）が構成している。蓋ユニット２の内側は、カメラ本体１の爪部１ａ及び１ｂに係合する爪部８ａ及び８ｂが設けられ、電池４の負極４ｂ及び電池５の正極５ａに接触する端子板９が取り付けられている。蓋検出スイッチ７は、蓋ユニット２が正しく閉じられているか否かを検出する。蓋検出スイッチ７で蓋ユニット２が正しく閉じられていないと検出した場合にカメラの動作を禁止し、カメラ内部の電子回路や記録データの損傷を防止する。
【００３１】
図３は、カメラの電池収納部３の内部構造を示す斜視図である。
【００３２】
図３において、電池収納部３には、シャフト２０、軸受部２１及び２２、軸受部１４ｃを介して蓋ユニット２が開閉することが可能に取り付けられている。電池収納部３は、電池４が収納される第１の収納部と、電池５が収納される第２の収納部から構成されている。第１の収納部と第２の収納部における電池挿入方向の奥には、それぞれ正極端子１０と負極端子１１が設けられている。更に、正極端子１０には、絶縁部材１２が取り付けられている。絶縁部材１２は、電池４が逆挿入されて負極４ｂが接触してきた場合に正極端子１０との絶縁を図るために設けられている。
【００３３】
まず、本実施の形態のカメラにおける端子板９の構成及び端子板９とストッパ部材１３（絶縁部材）の取り付け構造について図４〜図１０を参照しながら説明する。
【００３４】
図４は、カメラの端子板９の詳細を示す斜視図である。図５は、端子板９の接触部を示す斜視図である。図６は、端子板９の接触部と鋭突部を示す斜視図である。図７は、端子板９の接触部にストッパ部材１３を差し込んだ状態を示す斜視図である。図８は、端子板９の接触部にストッパ部材１３を差し込んだ状態を示す断面図である。図９は、端子板９の長穴部にストッパ部材１３の爪部を係合させる状態を示す斜視図である。図１０は、端子板９の固定部にストッパ部材１３の爪部が当たった状態を示す斜視図である。
【００３５】
図４において、端子板９は、外カバー８の内側に取り付けられ、電池収納部３に収納された電池４の負極４ｂ及び電池５の正極５ａに接触し電池からの通電が行われるように、導電性を有する板バネ材により形成されている。端子板９は、外カバー８に固定される固定部９ａ、延出部９ｂ、折返し部９ｃ、接触部９ｄ、鋭突部９ｅ及び９ｆ、長穴部９ｇ、延出部９ｈ、付け根部９ｉ、接触部９ｊ、鋭突部９ｋ及び９ｌ、絞り部９ｍ、爪部９ｎを備えている。
【００３６】
端子板９における電池５に接触する端子として、接触部９ｄが設けられている。即ち、屈曲部９ｐから帯状に延出された延出部９ｂが、その中間付近（途中部分）に設けた折返し部９ｃにて固定部９ａの方向へ折り返され、その先端付近にて電池５の正極５ａに接触する接触部９ｄが設けられている。接触部９ｄは、折返し部９ｃを揺動中心として揺動する。したがって、接触部９ｄは固定部９ａに対して変位可能である。
【００３７】
端子板９の鋭突部９ｅ及び９ｆ（突起部）は、図５に示すように接触部９ｄとなる板バネ材に穴開け加工した後で、図６に示すように円錐状に絞り出し加工することにより、鋭利な稜線エッジを形成させたものである。端子板９の鋭突部９ｅ及び９ｆが、実際に電池５の正極５ａに接触することになる。ここで、外カバー８をスライド板１４を介して摺動させた際に端子板９の鋭突部９ｅ及び９ｆが電池５の正極５ａの表面を摺動するように構成されている。
【００３８】
端子板９の固定部９ａには、接触部９ｄの変位方向に屈曲された屈曲部９ｐが形成されている。そして、屈曲部９ｐ中央に長穴部９ｇが設けられている。端子板９の長穴部９ｇは、接触部９ｄが突出する方向と並行に延びている。
【００３９】
端子板９における電池４に接触する端子として、接触部９ｊが設けられている。即ち、固定部９ａには、接触部９ｊの変位方向に屈曲された屈曲部９ｉが形成されている。そして、延出部９ｈは、屈曲部９ｉから帯状に延出されている。延出部９ｈは、屈曲部９ｉに対して揺動するとともに、延出部９ｈの先端に接触部９ｊが設けられている。したがって、接触部９ｊが電池４の方向へ突出して付勢できるように構成されている。
【００４０】
端子板９の鋭突部９ｋ及び９ｌは、上記の鋭突部９ｅ及び９ｆと同様に稜線エッジを形成させたものである。端子板９の鋭突部９ｋ及び９ｌが、実際に電池４の負極４ｂに接触することになる。端子板９の絞り部９ｍは、ユーザが接触部９ｊの縁を手で触れても怪我などをしないように縁を絞り加工したものである。端子板９の爪部９ｎは、接触部９ｊの突出量を無負荷状態よりも少ない量に抑制し、接触部９ｊをプリチャージ（予め荷重をかけておくこと）させるためのものである。端子板９の爪部９ｎについてはまた後で説明する。
【００４１】
ストッパ部材１３は、絶縁材により形成されており、端子板９の長穴部９ｇに係合する爪部１３ａと、電池５の正極５ａの突起の幅よりも所定量広い間隔に設定された一対のリブ部１３ｂ及び１３ｃを備えている。ストッパ部材１３の一対のリブ部１３ｂ及び１３ｃ（逆接続防止リブ）は、電池収納部３に収納された電池５の正極５ａの突起を挟むように構成されている。
【００４２】
また、ストッパ部材１３の一対のリブ部１３ｂ及び１３ｃは、電池５が電池収納部３に正しく収納され端子板９の接触部９ｄが電池５の正極５ａに接する状態では、電池５の正極５ａが端子板９の接触部９ｄに接するのを妨げないように高さが設定されている。他方、電池５が電池収納部３に逆向きに挿入された状態では、電池５の負極５ｂが端子板９の接触部９ｄに接するのを妨げるように高さが設定されている。すなわち、電池の負極が接触部９ｄと接触しないように機能するものである。
【００４３】
ストッパ部材１３は、端子板９が外カバー８に固定されない状態において、端子板９の接触部９ｄに図示の矢印方向（先端方向）から差し込むことで、図７に示すように接触部９ｄに取り付ける。これにより、図８に示すように、端子板９の接触部９ｄに設けられた鋭突部９ｅ及び９ｆの先端と、ストッパ部材１３のリブ部１３ｂとの間に段差Ｌが得られる。
【００４４】
端子板９とストッパ部材１３が図８の状態で、図９に示すように、端子板９の延出部９ｂを下方向（接触部９ｄの突出する方向とは逆の方向）に反らせながら、ストッパ部材１３の爪部１３ａを端子板９の長穴部９ｇに係合させる。ストッパ部材１３の爪部１３ａを端子板９の長穴部９ｇに係合させた後、端子板９を外カバー８に固定する。この場合、ストッパ部材１３の爪部１３ａが端子板９の長穴部９ｇの中を移動することが可能な範囲で、端子板９の接触部９ｄの突出量を抑制している。したがって、爪部１３ａと長穴部９ｇとの係合によって接触部９ｄの変位量は規制されることになる。
【００４５】
図１０に示すように、ストッパ部材１３の爪部１３ａが端子板９の固定部９ａに当たるので、端子板９の折返し部９ｃで曲げられた接触部９ｄの突出量は無負荷状態よりも少ない量に抑制され、プリチャージされた状態となる。端子板９の接触部９ｄの突出量及びプリチャージ力は端子板９とストッパ部材１３だけで決まるので、接触部９ｄの突出量と突出圧の管理も容易である。また、組み立ても容易である。
【００４６】
次に、本実施の形態のカメラにおける蓋ユニット２の構成及び蓋ユニット２の組み立て手順について図１１〜図１５を参照しながら説明する。
【００４７】
図１１は、蓋ユニット２の分解斜視図である。図１２は、蓋ユニット２のロックレバーの作動状態を示す平面図である。図１３は、蓋ユニット２のロックレバーの作動状態を示す平面図である。図１４は、蓋ユニット２のロックレバーの作動状態を示す平面図である。図１５は、蓋ユニット２の内カバーに端子板の爪部が当たった状態を示す断面図である。
【００４８】
図１１において、蓋ユニット２は、外カバー８、スライド板１４、内カバー１５、ロックレバー１６、レバーバネ１７を備えている。蓋ユニット２は、モールド材で形成された外カバー８の内側に、ステンレス板で形成されたスライド板１４をスライド動作可能（摺動が可能）に取り付け、スライド板１４に内カバー１５を被せてスライド動作を閉塞位置と開放位置の間で規制させる構造を有する。
【００４９】
外カバー８は、摺動面８ｃ、穴８ｄ、ガイド溝８ｅ及び８ｆを備える。スライド板１４は、ストッパ部１４ａ、プレート穴１４ｂ、軸受部１４ｃを備える。内カバー１５は、ダボ部１５ａ、穴部１５ｂを備える。ロックレバー１６は、操作部１６ａ、フック部１６ｂ、スイッチタクト部１６ｃ、バネ取付部１６ｄを備える。
【００５０】
スライド板１４は、外カバー８の内側に装着（結合）され、外カバー８に対し摺動が可能で且つ蓋ユニット２が取り付けられるカメラ本体１（基部）に対し軸受部１４ｃを介して回動が可能に構成されている。この場合、スライド板１４の摺動方向とストッパ部材１３のリブ部１３ｂ及び１３ｃの延長方向とが一致するように設定されている。
【００５１】
ロックレバー１６は、外カバー８の内側に設けた摺動面８ｃに配置され、外カバー８の穴８ｄから外側へ突出した操作部１６ａを操作するように構成されている。ロックレバー１６の操作部１６ａの操作に合わせてフック部１６ｂとスイッチタクト部１６ｃが一緒に作動する。レバーバネ１７は、ロックレバー１６のバネ取付部１６ｄに取り付けられ、ロックレバー１６を常時付勢している。ロックレバー１６とレバーバネ１７を外カバー８に取り付け、スライド板１４を外カバー８のガイド溝８ｅ及び８ｆに差し込む。
【００５２】
図１２に示す状態では、スライド板１４のストッパ部１４ａがロックレバー１６のフック部１６ｂに当接してロックレバー１６の動きを規制するので、ロックレバー１６はレバーバネ１７に押されていても動かない。図１２に示す状態から図１３に示すように、スライド板１４を奥まで（ロックレバー１６側へ）差し込むと、スライド板１４のストッパ部１４ａがロックレバー１６のフック部１６ｂから外れる。
【００５３】
これに伴い、レバーバネ１７の付勢によりロックレバー１６が移動して図１３に示す状態から図１４に示す状態になり、ロックレバー１６のフック部１６ｂがスライド板１４のストッパ部１４ａに係合してスライド板１４が動かなくなる。図１４に示す状態でスライド板１４に内カバー１５（図１１）を被せると、内カバー１５のダボ部１５ａがスライド板１４のプレート穴１４ｂに係合する。これにより、スライド板１４が外カバー８に対し、内カバー１５のダボ部１５ａとスライド板１４のプレート穴１４ｂとの係合範囲内において移動することが可能な状態となる。
【００５４】
更に、スライド板１４に内カバー１５を被せた状態で端子板９を取り付け、端子板９の接触部９ｊの先端に設けた爪部９ｎを、内カバー１５に設けた穴部１５ｂに係合させ、ネジ１８（図１１）で固定する。これに伴い、図１５に示すように、端子板９の爪部９ｎが内カバー１５に当たるので、端子板９の付け根部９ｉで曲げられた接触部９ｊの突出量は無負荷状態よりも少ない量に抑制され、プリチャージされた状態となる。
【００５５】
以上の組み立て工程により蓋ユニット２が完成する。端子板９とストッパ部材１３に関して予め「サブ組」（端子板９とストッパ部材１３の組み立て）を行ってから、「ユニット組」（端子板９とストッパ部材１３を組み立てた後に他の部品を組み付ける蓋ユニット２全体の組み立て）を行う。これにより、組み立て作業が容易となる。
【００５６】
また、端子板９とストッパ部材１３の組み立て後に蓋ユニット２に固定した状態では端子板９の延出部９ｂ全体を反らせることができない。これにより、ストッパ部材１３の爪部１３ａと端子板９の長穴部９ｇの係合が外れてストッパ外れを起こす恐れも回避することができる。
【００５７】
図３に示すように、蓋ユニット２を蓋開きバネ１９及びシャフト２０と共に、カメラ本体１の電池収納部３の端部に配設された軸受部２１及び２２に取り付け、最後にカメラ本体１に前カバー２３及び後カバー２４を組み合わせる。これにより、図１に示すように、カメラ本体１及び蓋ユニット２から構成される電子機器（本実施の形態では撮像装置）としてのカメラの組み立てが完成する。
【００５８】
次に、上記構成を有する本実施の形態のカメラの操作について説明する。
【００５９】
まず、カメラに電池を挿入する操作について説明する。図１の状態にて、ユーザがロックレバー１６の操作部１６ａを下方向へスライドさせてから蓋ユニット２を左方向へスライドさせると、図２に示すようにカメラ本体１の爪部１ａ及び１ｂと蓋ユニット２の爪部８ａ及び８ｂとの係合が外れる。これに伴い、蓋開きバネ１９の付勢により、蓋ユニット２を構成する外カバー８の内側に結合されたスライド板１４が軸受部１４ｃを介して回動することで、カメラ本体１から蓋ユニット２が開く。
【００６０】
ここで、上述したように、端子板９の接触部９ｄの突出量はストッパ部材１３の爪部１３ａが端子板９の固定部９ａに当たるために少ない量に抑制されている。そのため、ユーザがカメラ本体１から蓋ユニット２を開いた状態で端子板９の接触部９ｄを触った場合でも接触部９ｄを変形させる恐れがない。また、ストッパ部材１３が端子板９の接触部９ｄの周囲を覆っているので、ユーザが板金（接触部９ｄ）のエッジに触れて怪我をする恐れもない。
【００６１】
次に、ユーザはカメラ本体１の電池収納部３に対し開口から電池４及び５を正しく挿入してから、蓋ユニット２を回動させ、更に蓋ユニット２を右方向へスライドさせて閉じる。このスライド操作に伴い、端子板９の接触部９ｄが電池５の正極５ａの表面を摺動することにより、接触部分のゴミや異物等を除去し導電性を良好に維持できる「リフレッシュ効果」を得ることができる。
【００６２】
また、端子板９の接触部９ｄに設けている鋭突部９ｅ及び９ｆがより強く電池５の正極５ａの表面を摺動する構成であるため、より確実にリフレッシュ効果を得ることができる。また、端子板９の接触部９ｊに設けている鋭突部９ｋ及び９ｌが電池４の負極４ｂの表面を摺動する構成であるため、同様にリフレッシュ効果を得ることができる。
【００６３】
上記のようにユーザが蓋ユニット２を右方向へスライドさせて閉じると、レバーバネ１７の付勢によりロックレバー１６が上方向にスライドするため、蓋ユニット２が左方向へスライドできないようにロックされる。これと共に、ロックレバー１６のスイッチタクト部１６ｃが蓋検出スイッチ７を押して作動させるため、蓋ユニット２が正しく閉じられていることが検出される。これにより、カメラを通常通り使用することが可能な状態となる。
【００６４】
図１６及び図１７に使用可能時におけるカメラに対する電池収納状態を示す。図１６に示すように、電池５は正極５ａを蓋ユニット２の端子板９の接触部９ｄに接触させ、負極５ｂを電池収納部３の負極端子１１に接触させている。また、図１７に示すように、電池４は正極４ａを電池収納部３の正極端子１０に接触させ、負極４ｂを蓋ユニット２の端子板９の接触部９ｊに接触させている。
【００６５】
これにより、電池収納部３の正極端子１０と負極端子１１の間には所定の電圧が得られるため、カメラ本体内部の電子回路等に電源を供給することができる。正極端子１０と負極端子１１の接触圧は、従来例と同様に、電池収納部３側の正極端子１０の方が蓋ユニット２の端子板９の接触部９ｊよりも強く、かつ、電池収納部３側の負極端子１１の方が端子板９の接触部９ｄよりも強く設定してある。そのため、電池５及び４はそれぞれ図１６及び図１７に示すように右側（端子板９側）へ押し当てられた状態となっている。
【００６６】
次に、電池５及び４が端子板９側へ押し当てられた状態で落下等によりカメラに強い振動衝撃が加わった場合について説明する。
【００６７】
図１８は振動衝撃により電池５が電池収納部３内で左側へ押し当てられた状態であり、例えばカメラ本体１を蓋ユニット２を上にした姿勢で床へ落とした場合などに相当する。カメラに振動衝撃が加わった状態では、電池５は電池収納部３の電池突当面３ａに当たる位置まで移動し、その分だけ負極端子１１がたわむと共に、蓋ユニット２の端子板９の接触部９ｄが電池５の方向へ追従して正極５ａとの接触状態を維持する。このとき、端子板９の接触部９ｄは、プリチャージされているために電池５が移動しても強いプリチャージ力で電池５の移動に追従できるので、接触不良の問題がより生じ難い。
【００６８】
また、図１９は振動衝撃により電池４が電池収納部３内で左側（正極端子１０側）へ押し当てられた状態である。この場合も、電池４は電池収納部３の電池突当面３ｂに当たる位置まで移動し、その分だけ正極端子１０がたわむ。これと共に、蓋ユニット２の端子板９の接触部９ｊが電池４の方向へ追従して負極４ｂとの接触状態を維持する。このとき、端子板９の接触部９ｊは、プリチャージされているために電池４が移動しても強いプリチャージ力で追従できるので、接触不良の問題がより生じ難い。
【００６９】
次に、電池を電池収納部３に逆向きに挿入（逆挿入）した場合について説明する。
【００７０】
図２０は電池５を電池収納部３に逆向きに挿入した状態である。絶縁材で形成されたストッパ部材１３が端子板９の接触部９ｄに取り付けられている。そのため、電池５の負極５ｂがストッパ部材１３のリブ部１３ｂ、１３ｃに当たっても端子板９の接触部９ｄに設けた鋭突部９ｅ及び９ｆの先端との間にスキマがあり、電池５の負極５ｂが接触部９ｄに接するのを妨げる。これにより、電池５の誤挿入防止機構を、ストッパ部材１３を用いて高精度かつ簡潔に構成することができる。
【００７１】
また、図２１は電池４を電池収納部３に逆向きに挿入した状態である。この場合も、絶縁部材１２が正極端子１０に取り付けられているので、電池４の負極４ｂが絶縁部材１２に当たっても正極端子１０との間にスキマがあり、電池４の負極４ｂが正極端子１０に接するのを妨げる。これにより、電池４の誤挿入防止機構を、絶縁部材１２を用いて高精度かつ簡潔に構成することができる。
【００７２】
以上説明したように本実施の形態によれば、カメラの蓋ユニット２の組み立てを行う際に、端子板９とストッパ部材１３に関して予め「サブ組」を行ってから蓋ユニット全体の「ユニット組」を行う。これにより、組み立て作業を容易にすることが可能となる。
【００７３】
また、端子板９と絶縁部材（ストッパ部材１３）だけで端子（端子板９の接触部９ｄ）の突出を防止する突出防止機構を簡易に構成することができる。これにより、電池の電極に接触する端子の突出量と突出圧の管理を容易にすることが可能となる。
【００７４】
また、端子板９とストッパ部材１３の組み立て後に蓋ユニット２に固定した状態で、端子板９の延出部９ｂ全体を反らせることができない構造としている。これにより、ストッパ部材１３の爪部１３ａと端子板９の長穴部９ｇの係合が外れるストッパ外れを起こす恐れも回避することが可能となる。
【００７５】
また、電池を電池収納部３に逆挿入した場合、ストッパ部材１３により電池の負極が端子板９に接するのを妨げる。これにより、電池誤挿入防止機構をストッパ部材１３を用いて高精度かつ簡潔に構成することが可能となる。
【００７６】
また、収納部に対する電池の挿入後に蓋ユニット２を閉じると、端子板９の接触部９ｄがスライド操作により電池の正極の表面を摺動する。これにより、接触部分のゴミや異物等を除去し導電性を良好に維持できるリフレッシュ効果を得ることが可能となる。
【００７７】
また、蓋ユニット２を閉じた際に、端子板９の接触部９ｄの鋭突部９ｅ及び９ｆと、接触部９ｊの鋭突部９ｋ及び９ｌがより強く電池の正極の表面を摺動する構成としている。これにより、より確実にリフレッシュ効果を得ることが可能となる。
【００７８】
〔他の実施の形態〕
上記実施の形態では、電子機器として撮像装置（カメラ）を例に挙げたが、本発明は、これに限定されるものではなく、電池を機器内部に収納して電源として使用する他の電子機器にも適用可能である。
【図面の簡単な説明】
【００７９】
【図１】本発明の実施の形態に係る撮像装置としてのカメラ（電子機器）の外観を示す図であり、（ａ）は、カメラの正面側を示す斜視図、（ｂ）は、カメラの背面側を示す斜視図である。
【図２】カメラの蓋ユニットを開いた状態並びにカメラの収納部に収納される電池及びメモリカードを示す斜視図である。
【図３】カメラの収納部の内部構造を示す斜視図である。
【図４】カメラの端子板の詳細を示す斜視図である。
【図５】端子板の接触部を示す斜視図である。
【図６】端子板の接触部と鋭突部を示す斜視図である。
【図７】端子板の接触部にストッパ部材を差し込んだ状態を示す斜視図である。
【図８】端子板の接触部にストッパ部材を差し込んだ状態を示す断面図である。
【図９】端子板の長穴部にストッパ部材の爪部を係合させる状態を示す斜視図である。
【図１０】端子板の固定部にストッパ部材の爪部が当たった状態を示す斜視図である。
【図１１】蓋ユニットの分解斜視図である。
【図１２】蓋ユニットのロックレバーの作動状態を示す平面図である。
【図１３】蓋ユニットのロックレバーの作動状態を示す平面図である。
【図１４】蓋ユニットのロックレバーの作動状態を示す平面図である。
【図１５】蓋ユニットの内カバーに端子板の爪部が当たった状態を示す断面図である。
【図１６】カメラの収納部における電池の収納状態を示す図である。
【図１７】カメラの収納部における電池の収納状態を示す図である。
【図１８】カメラの収納部における振動衝撃が加わった時の電池の収納状態を示す図である。
【図１９】カメラの収納部における振動衝撃が加わった時の電池の収納状態を示す図である。
【図２０】カメラの収納部における電池の逆挿入状態を示す図である。
【図２１】カメラの収納部における電池の逆挿入状態を示す図である。
【図２２】第１の従来例に係るカメラの外観を示す図であり、（ａ）は、カメラの斜視図、（ｂ）は、カメラの底面側の電池蓋を開き収納部に複数の電池を収納する様子を示す斜視図である。
【図２３】カメラの収納部に収納した電池と電池蓋を示す図であり、（ａ）は、電池の正負極と電池蓋の正負極端子との接触状態を示す図、（ｂ）は、（ａ）の矢視Ｂ−Ｂ線に沿う断面図である。
【図２４】カメラの収納部の内部構造を示す断面図である。
【図２５】第２の従来例に係るカメラの電池室内側の端子バネと絶縁部材の分解斜視図である。
【図２６】端子バネと絶縁部材の取り付け状態を示す断面図である。
【図２７】第１の従来例に係るカメラの収納部における電池の挿入状態を示す断面図である。
【図２８】第１の従来例に係るカメラの収納部における電池の逆挿入状態を示す断面図である。
【図２９】第３の従来例に係るカメラの外観を示す斜視図である。
【図３０】カメラの電池蓋の分解斜視図である。
【符号の説明】
【００８０】
１  カメラ本体
２  蓋ユニット
３  収納部
４、５  電池
４ａ、５ａ  正極
４ｂ、５ｂ  負極
９  端子板
９ａ  固定部
９ｂ  延出部
９ｃ  折返し部
９ｄ  接触部
９ｅ、９ｆ  鋭突部
９ｇ  長穴部
１０  正極端子
１１  負極端子
１２  絶縁部材
１３  ストッパ部材
１３ａ  爪部
１４  スライド板
【図１】
0005219560.tif 000002
【図２】
0005219560.tif 000003
【図３】
0005219560.tif 000004
【図４】
0005219560.tif 000005
【図５】
0005219560.tif 000006
【図６】
0005219560.tif 000007
【図７】
0005219560.tif 000008
【図８】
0005219560.tif 000009
【図９】
0005219560.tif 000010
【図１０】
0005219560.tif 000011
【図１１】
0005219560.tif 000012
【図１２】
0005219560.tif 000013
【図１３】
0005219560.tif 000014
【図１４】
0005219560.tif 000015
【図１５】
0005219560.tif 000016
【図１６】
0005219560.tif 000017
【図１７】
0005219560.tif 000018
【図１８】
0005219560.tif 000019
【図１９】
0005219560.tif 000020
【図２０】
0005219560.tif 000021
【図２１】
0005219560.tif 000022
【図２２】
0005219560.tif 000023
【図２３】
0005219560.tif 000024
【図２４】
0005219560.tif 000025
【図２５】
0005219560.tif 000026
【図２６】
0005219560.tif 000027
【図２７】
0005219560.tif 000028
【図２８】
0005219560.tif 000029
【図２９】
0005219560.tif 000030
【図３０】
0005219560.tif 000031